(57)【特許請求の範囲】
【請求項１】
吸引式簡易トイレにおける箱型の真空ユニット体の配置構造であって、
吸引した汚物を一旦取り込むことができる前記真空ユニット体は汚物排出口を有し、該汚物排出口を介して、吸引した汚物を外部へ排出可能であり、
さらに該真空ユニット体は、
既設のトイレ室内に配置された汚物受容器具に形成される汚物受け部より上方であって該汚物受容器具の奥側の壁面に沿った空間に、当該トイレ室内の床面に支持されることなく配置され、
前記汚物排出口は、前記汚物受け部に接続されている排水経路に配管を介して接続され、該汚物排出口を介して該真空ユニット体内の汚物が該排水経路に向かって自然流下するものであり、
前記汚物受容器具は既設の水洗トイレであって、該水洗トイレには、前記汚物受け部としての便器の内部における前記排水経路と該水洗トイレの外部とを連通する便器掃除口が設けられており、
前記トイレ室内において、前記汚物排出口と該便器掃除口との間には配管が接続され、該配管を介して前記真空ユニット体内の汚物が前記便器内の該排水経路に向かって自然流下する
ことを特徴とする吸引式簡易トイレの真空ユニット体配置構造。
【発明の詳細な説明】
【技術分野】
【０００１】
本発明は、吸引式簡易トイレにおける真空ユニット体の配置構造に関する。
【背景技術】
【０００２】
従来から、自力でトイレまで行くことの困難な高齢者や病人等の要介護者のために、寝室等に設置することのできる簡易トイレ（ポータブルトイレ）が種々提案されている。
【０００３】
簡易トイレとしては、例えば特許文献１に開示されているような、便槽を備えたポータブルトイレがある。この種のポータブルトイレは便槽内に溜まった汚物を介護者が捨て、該便槽を洗浄してから再度ポータブルトイレに取り付ける。このような手間は介護者にとって大きな負担となり、蓋がされていたとしても汚物の臭いを完全に遮断することは不可能であり、要介護者にとっても精神的に負担が生じることとなる。
【０００４】
また、例えば特許文献２に開示されているような、既設の便器の内部に汚物排出用の排出ホース先端を固定した圧送式のトイレシステムも提案されている。該トイレシステムにあっては、介護者が便槽内の汚物を処理して該便槽を洗浄するといった手間を省くことができるものの、既設の便器内に汚物が溜まることになるため、結局は介護者が該既設の便器を作動させて汚物を処理する必要がある。
【０００５】
このような問題に対して、本発明者は吸引式便器を提案した（特許文献３参照）。該吸引式便器にあっては、真空ユニット体を構成する負圧タンクを減圧しておき、大気開放する際の吸引力によって、該吸引式便器の便器本体から便を含む排水を吸引する。この場合、要介護者が用を足した後、自力で操作スイッチを操作するだけで汚物の処理がなされるため、介護者や要介護者の負担が軽減される。
【先行技術文献】
【特許文献】
【０００６】
【特許文献１】特開２０１０−２４０１６５号公報
【特許文献２】特開２００７−２１７９９６号公報
【特許文献３】特開２０１４−１０９０８９号公報
【発明の概要】
【発明が解決しようとする課題】
【０００７】
しかしながら、上記特許文献３に記載されているような吸引式便器にあっては、真空ポンプや負圧タンク等が組み込まれた真空ユニット体を設置した上で、該真空ユニット体と汚水ますとの間をつなぐ配管を施工する必要がある。具体的には、該汚水ますに配管を接続するために地面を掘削せねばならず、場合によってはコンクリート基礎をはつる作業が発生したり、汚水ますまで配管に勾配を設けたりしなければならない。したがって、このような従来構成は、施工作業が大掛かりとなる問題があった。
【０００８】
そこで本発明は、大掛かりな施工作業を必要とせず、しかも屋内のいわゆるデッドスペースを有効活用できる吸引式簡易トイレの真空ユニット体配置構造を提供することを目的とする。
【課題を解決するための手段】
【０００９】
本発明は、吸引式簡易トイレにおける箱型の真空ユニット体の配置構造であって、吸引した汚物を一旦取り込むことができる前記真空ユニット体は汚物排出口を有し、該汚物排出口を介して、吸引した汚物を外部へ排出可能であり、さらに該真空ユニット体は、既設のトイレ室内に配置された汚物受容器具に形成される汚物受け部より上方であって該汚物受容器具の奥側の壁面に沿った空間に、当該トイレ室内の床面に支持されることなく配置され、前記汚物排出口は、前記汚物受け部に接続されている排水経路に配管を介して接続され、該汚物排出口を介して該真空ユニット体内の汚物が該排水経路に向かって自然流下するものであり、前記汚物受容器具は既設の水洗トイレであって、該水洗トイレには、前記汚物受け部としての便器の内部における前記排水経路と該水洗トイレの外部とを連通する便器掃除口が設けられており、前記トイレ室内において、前記汚物排出口と該便器掃除口との間には配管が接続され、該配管を介して前記真空ユニット体内の汚物が前記便器内の該排水経路に向かって自然流下することを特徴とする吸引式簡易トイレの真空ユニット体配置構造である。
【００１０】
かかる構成にあっては、上記した位置に真空ユニット体が配置されているため、該真空ユニット体が前記汚物受容器具を使用する使用者や該使用者を介助する介護者の邪魔になることがない。また、かかる位置に真空ユニット体が配置されているが故に、該真空ユニット体から排出される汚物を、当該トイレ室における排水経路に簡易な構成で自然流下させることができる。このため、汚物を処理するための配管構造が大幅に簡素化され、施工コストを飛躍的に抑えることができるし、負担の大きい汚物処理の問題も解決しうる。
【００１１】
なお、上記構成にあっては、前記汚物受容器具は既設の水洗トイレであって、該水洗トイレには、汚物受け部としての便器の内部における排水経路と該水洗トイレの外部とを連通する便器掃除口が設けられており、前記トイレ室内において、前記汚物排出口と該便器掃除口との間には配管が接続され、該配管を介して前記真空ユニット体内の汚物が前記便器内の該排水経路に向かって自然流下する構成としている。
【００１２】
かかる構成は、既設の水洗トイレの排水経路を利用することができるため、施工が非常に簡単に行える。例えば、配管接続のために既設のトイレの嵩上げ工事を行う必要がないし、真空ユニット体が不要となった場合にも配管の撤去作業が容易である。なお、水洗トイレの奥側とは、該水洗トイレに座って用を足す際に背が向く後方を指し、水タンクを備えた水洗トイレの場合には、該水タンク上方を含む概念である。
【００１３】
また、前記トイレ室内床面には、前記排水経路に接続されている排水管掃除口が設けられており、前記トイレ室内において、前記汚物排出口と該排水管掃除口との間には配管が接続され、該配管を介して前記真空ユニット体内の汚物が該排水経路に向かって自然流下する構成が提案される。
【００１４】
かかる構成は、前記汚物排出口と前記排水管掃除口とを配管でつなぐだけで施工できるという利点がある。また、上記構成と同様に、真空ユニット体が不要となった場合にも配管の撤去作業が容易である。
【００１５】
さらに、前記汚物受容器具は既設の汚物処理用シンクであって、前記トイレ室内において、前記汚物排出口と該汚物処理用シンクにおける排水経路との間に配管が接続され、該配管を介して前記真空ユニット体内の汚物が該排水経路に向かって自然流下する構成が提案される。
【００１６】
ここで、前記汚物処理用タンクとしては、いわゆるオストメイト配慮設備等が例示される。かかる構成にあっても、前記汚物排出口と汚物処理用シンクにおける排水経路とを配管でつなぐだけで施工できるという利点がある。また、上記構成と同様に、真空ユニット体が不要となった場合にも配管の撤去作業が容易である。
【発明の効果】
【００１７】
本発明は、大掛かりな施工作業を必要とせず、しかも屋内のデッドスペースを有効活用できるため真空ユニット体が邪魔になることがなく、さらに汚物を適正に効率良く処理できるという効果がある。
【図面の簡単な説明】
【００１８】
【図１】実施例１の吸引式簡易トイレの真空ユニット体配置構造を示す概略図である。
【図２】実施例１の吸引式簡易トイレの真空ユニット体配置構造を示す説明図である。
【図３】実施例２の吸引式簡易トイレの真空ユニット体配置構造を示す概略図である。
【図４】実施例２の吸引式簡易トイレの真空ユニット体配置構造を示す説明図である。
【図５】実施例３の吸引式簡易トイレの真空ユニット体配置構造を示す概略図である。
【図６】実施例３の吸引式簡易トイレの真空ユニット体配置構造を示す説明図である。
【発明を実施するための形態】
【００１９】
以下、本発明の吸引式簡易トイレの真空ユニット体配置構造を具体化した実施例を詳細に説明する。なお、本発明は、下記に示す実施例に限定されることはなく、適宜設計変更が可能である。
【００２０】
〔実施例１〕
図１，図２に従って、実施例１にかかる吸引式簡易トイレの真空ユニット体配置構造１Ａを説明する。
【００２１】
図１に示すように、建物２には、要介護者用の寝室３、及びトイレ室４が互いに隣接して配置されている。前記寝室３には、ベッド３１が配置されていると共に、その横には吸引式簡易トイレ５のトイレ本体５ａが配置されている。
【００２２】
前記トイレ本体５ａには吸引配管５２が接続されており、さらに該吸引配管５２には箱型の真空ユニット体５１が接続されている。該真空ユニット体５１は、汚物を吸引する機能を有しており、真空ポンプ（図示省略）と負圧タンク（図示省略）とが内蔵されている。さらに、該真空ユニット体５１の下面には、汚物排出口５３が設けられており、該汚物排出口５３を介して汚物を外部へ排出することができる構造となっている。なお、該真空ユニット５１の配設位置については、本発明の要部にかかるため、後で詳述する。
【００２３】
一方、前記トイレ室４には、汚物受容器具としての既設の水洗トイレ６が配置されている。なお、図２に示すように、該水洗トイレ６は、汚物受け部としての便器６５を有し、該便器６５に汚物を廃棄することが可能となっている。また、便器６５の奥側（後方）に位置した壁面２ａには、水タンク６６が配置されている。そして、該水洗トイレ６で発生した汚物を含む排水は、該水洗トイレ６に接続された便器用枝管６０ａを介して床下の排水経路６０に案内され、図１に示すように、該排水経路６０に設置された屋外の排水ます６１に流入する。なお、該便器６５の側面部には、水洗トイレ６内の排水経路６０を確認したり掃除したりするための便器掃除口６５ａ（図２参照）が設けられている。
【００２４】
また、図１，図２に示すように、前記トイレ室４の床面には、前記水洗トイレ６等における排水経路６０に接続されている排水管掃除口７が設けられている。該排水管掃除口７には、通常時は蓋７ｂが装着されている。そして、該排水管掃除口７は、該トイレ掃除口７に接続された排水管掃除口用枝管６０ｂを介して前記排水経路６０に連通しており、排水経路６０内を掃除することが可能となっている。なお、該排水管掃除口７は、例えば特開２００５−１０５５５８号公報等に開示されているような機構が好適に採用可能である。
【００２５】
また、前記トイレ室４には、汚物処理用シンクとしてのオストメイト配慮設備８が配置されている。なお、該オストメイト配慮設備８は、汚物受け部としての設備本体８ａを備え、該設備本体８ａに汚物を廃棄することが可能となっている。そして、該オストメイト配慮設備８で発生した汚物を含む排水は、該オストメイト配慮設備８に接続されたオストメイト配慮設備用枝管６０ｃを介して床下の前記排水経路６０に案内される。
【００２６】
また、図１に示すように、前記建物２には、前記水洗トイレ６以外にも、洗面器９、浴槽１０、あるいは流し台１１といった衛生器具が配置されており、それらが、屋外に埋設された各排水ます９１，１０１，１１１に接続され、該排水ます９１，１０１，１１１を介して排水配管１２０に接続されている。
【００２７】
次に、本発明の要部について説明する。
図２に示すように、前記吸引式簡易トイレ５の真空ユニット体５１は、水洗トイレ６の便器６５よりも上方であって、該便器６５の奥側に位置した水タンク６６上の壁面２ａに取り付けられている。具体的には、該真空ユニット体５１の下端は、床面から１３０ｃｍ〜１５０ｃｍ程度の高さ位置に定められることが好ましい。これは、身長１６０〜１８０ｃｍ程度の人が水洗トイレ６に座った際に該真空ユニット体５１に頭をぶつけないためである。
【００２８】
さらに、前記真空ユニット体５１の下面に設けられている汚物排出口５３と、前記水洗トイレ６の便器掃除口６５ａとの間に、配管としての可撓ホース５４がほぼ最短距離で接続されている。具体的には、該可撓ホース５４の一端が前記汚物排出口５３から負圧タンク（図示省略）内に挿通され、これに対して他端は前記便器掃除口６５ａから前記便器６５内に挿通されている。なお、該便器掃除口６５ａには、可撓ホース５４が脱着自在に挿通可能な貫通孔を有するホース挿通用蓋６５ｃが装着されることが好ましい。
【００２９】
かかる構成にあって、真空ユニット体５１を作動させると、トイレ本体５ａ内に溜まった汚物を含む排水が、前記吸引配管５２を介して該真空ユニット体５１内に一旦取り込まれる。そしてさらに、該真空ユニット体５１内の汚物は、前記汚物排出口５３から排出されると共に前記可撓ホース５４内を自然流下して便器６５内の排水経路６０に案内される。
【００３０】
前記真空ユニット体５１内に導入された汚物を含む排水は、室内に露出することなく前記可撓ホース５４内を通って前記排水経路６０へ排出されるため、室内に異臭等が立ちこめることがない。また、介護者等が水洗トイレ６内の水を別途流す作業も不要である。また、該真空ユニット体５１は、前記水洗トイレ６の水タンク６６の上方に配置されているため、当該水洗トイレ６を使用する際にも何ら邪魔になることがない。勿論、該水洗トイレ６の横に立つ介護者にとっても邪魔になることがない。また、真空ユニット体５１内の真空ポンプによって汚物を高い位置に集めることができるため、動力や排水勾配を要することなく汚物を排水経路６０に向かって容易に自然流下させることができる。また、前記可撓ホース５４は、便器６５にあらかじめ設けられている便器掃除口６５ａに接続するため、施工が非常に簡便である。なお、前記吸引配管５２は、壁面２ａと天井（図示省略）との境界辺りに配置されているため、要介護者等が踏んで怪我をすることがない。また、可撓ホース５４等が便器６５の上部に差し出されることもないため、通常時は健常者も問題なく水洗トイレ６を使用することができる。
【００３１】
〔実施例２〕
図３，図４に従って、実施例２にかかる吸引式簡易トイレの真空ユニット体配置構造１Ｂを説明する。なお、上記実施例１と同様の構成のものは同じ符号を付して説明を省略もしくは簡略化する。
【００３２】
実施例２にあっては、水洗トイレ６の便器６５の上方であって該水洗トイレ６の奥側に真空ユニット体５１が配設されている。さらに、該真空ユニット体５１の汚物排出口５３に接続されている可撓ホース５４の他端が、トイレ室４の床面に形成された前記排水管掃除口７に挿通されている。なお、該排水管掃除口７には、可撓ホース５４が脱着自在に挿通可能な貫通孔を有するホース挿通用蓋７ｃが装着されることが好ましい。
【００３３】
かかる構成にあっては、前記汚物排出口５３が可撓ホース５４を介して前記排水経路６０に接続され、該可撓ホース５４内を汚物が自然流下することになる。なお、前記可撓ホース５４は、水洗トイレ６の使用者の邪魔にならないように、トイレ室４の壁に沿って配されることが好ましい。ところで、前記真空ユニット体５１は、必ずしも水タンク６６の直上である必要はなく、可撓ホース５４の配置を考慮して、便器６５の上方であって水洗トイレ６の奥側の空間であれば適宜位置変更が可能である。
【００３４】
〔実施例３〕
図５，図６に従って、実施例３にかかる吸引式簡易トイレの真空ユニット体配置構造１Ｃを説明する。なお、上記実施例１，又は実施例２と同様の構成のものは同じ符号を付して説明を省略もしくは簡略化する。
【００３５】
実施例３にあっては、前記オストメイト配慮設備８の奥側に配された棚台４ａよりも上方の壁面２ａに、真空ユニット体５１が取り付けられている。さらに、該真空ユニット体５１の汚物排出口５３には、配管としての蛇腹管５４１の一端が接続され、これに対して他端が前記オストメイト配慮設備８と前記オストメイト配慮設備用枝管６０ｃとを接続する継手８ｂに最短経路で接続されている。かかる構成により、該蛇腹管５４１と排水経路６０とが連通し、該蛇腹管５４１内を汚物が自然流下する。
【００３６】
かかる構成とすることにより、オストメイト配慮設備８の使用者の邪魔になることなく真空ユニット体５１を屋内に設置することができる。また、該真空ユニット体５１が不要となった場合にも前記蛇腹管５４１の取り外しが容易である。なお、前記蛇腹管５４１には、オストメイト配慮設備８の使用者の邪魔にならないように、留め金具５４１ａによって壁面２ａに固定されていることがさらに好ましい。
【００３７】
これまでに述べた構成にあって、水洗トイレ６はいわゆるタンクレスタイプであってもよい。タンクレスタイプが採用された場合には、前記真空ユニット体５１は、タンクレス式水洗トイレの給水機械部が内蔵されたふかし壁の上方に配置可能となる。既設の水洗トイレ６に便器掃除口６５ａが形成されていない場合は、便器掃除口付き水洗トイレに置換するようにしてもよい。ところで、吸引式簡易トイレ５を実際に使用する前にあらかじめ可撓ホース５４や蛇腹管５４１を取り付けておいた場合にも、既設の水洗トイレ６やオストメイト配慮設備８は支障なく使用可能である。
【００３８】
また、トイレ室４内の床面や壁面に設けられた給水ソケットに給水管を接続して、吸引式簡易トイレ５に給水可能としてもよい。該給水管は、トイレ本体５ａと真空ユニット５１とを接続する吸引配管５２と同じ経路で配することが可能である。
【符号の説明】
【００３９】
１Ａ〜１Ｃ  吸引式簡易トイレの真空ユニット体配置構造
２ａ              壁面
４                トイレ室
５                吸引式簡易トイレ
５ａ              トイレ本体
６                水洗トイレ（汚物受容器具）
７                排水管掃除口
８                オストメイト配慮設備（汚物処理用シンク）
８ａ              設備本体（汚物受け部）
５１              真空ユニット体
５３              汚物排出口
５４              可撓ホース（配管）
６０              排水経路
６５              便器（汚物受け部）
６５ａ            便器掃除口
５４１            蛇腹管（配管）
【図１】
0006410507.tif 000002
【図２】
0006410507.tif 000003
【図３】
0006410507.tif 000004
【図４】
0006410507.tif 000005
【図５】
0006410507.tif 000006
【図６】
0006410507.tif 000007